(57)【特許請求の範囲】
【請求項１】
移動局と固定局とが混在する無線ネットワークシステムにおいて、ひとつまたは複数の無線局は、それぞれの無線局が移動局か固定局かの情報を記憶する他局状態記憶手段と、通信の中継を依頼する中継依頼電文の送信先を前記他局状態記憶手段の出力によって移動局よりも固定局を優先的に選択する中継局選択手段を備え、
前記無線局は、接地スイッチなど移動／固定判別センサーを備えて自局が移動中であるか固定であるかを自己判別し、
自局が移動局か固定局かの情報を通信電文の中に含めて送信し、受信した無線局の前記他局状態記憶手段に記憶させる無線ネットワークシステム。
【請求項２】
前記無線局は、他の無線局と通信を行なって通信状況を確認し送信出力等の通信パラメーターを調節する通信確認作業について、前記通信確認の実施頻度を固定局と移動局とで切換える請求項１記載の無線ネットワークシステム。
【請求項３】
前記無線局は、移動開始したときに自局が移動中であるという情報を通信電文の中に含め、また移動終了したときに自局が固定であるという情報を通信電文の中に含めて通信相手に送信する請求項１記載の無線ネットワークシステム。
【請求項４】
前記無線局は、移動終了したときに通信確認作業を行なう請求項２記載の無線ネットワークシステム。
【請求項５】
ＤＣ電源駆動局とＡＣ電源駆動局とが混在する無線ネットワークシステムにおいて、ひとつまたは複数の無線局は、他局状態記憶手段と、通信の中継を依頼する中継依頼電文の送信先を前記他局状態記憶手段の出力によって選択する中継局選択手段を備え、
前記他局状態記憶手段はそれぞれの無線局がＡＣ電源駆動かＤＣ電源駆動かの情報を記憶し、前記中継局選択手段は通信の中継を依頼する中継依頼電文の送信先を前記他局状態記憶手段の出力によってＤＣ電源駆動局よりもＡＣ電源駆動局を優先的に選択する無線ネットワークシステム。
【請求項６】
前記無線局は、自局の電源状態を検出する電源状態検出手段を備えてＤＣ電源の消耗具合の情報を通信電文の中に含めて送信し、受信した無線局の前記他局状態記憶手段に記憶させる請求項５記載の無線ネットワークシステム。
【請求項７】
前記無線局は、ＡＣ電源の停電を検知する停電検知手段を備えて、停電時には停電の情報を通信電文の中に含めて送信し、前記中継局選択手段はＡＣ電源駆動局よりもＤＣ電源駆動局を優先的に選択する請求項５記載の無線ネットワークシステム。
【発明の詳細な説明】
【０００１】
【発明の属する技術分野】
本発明は移動局と固定局とが混在し、またＡＣ電源駆動の無線局とＤＣ電源駆動の無線局と混在する無線ネットワークシステムに関し、さらに詳しくは無線局間で直接通信できない時に中継作業を効率よく行ない通信の信頼性を高めるシステムに関するものである。
【０００２】
【従来の技術】
固定局のみで構成される無線ネットワークシステムとして、たとえばコンピュータなどの無線ＬＡＮがあり各無線端末は机の上などに固定している。また、固定局と移動局とからで構成される無線ネットワークシステムとして、たとえば携帯電話網があり固定局である基地局と移動局である携帯電話とで通信が行なわれる。
【０００３】
無線ＬＡＮでは、遮蔽物や設置位置の移動によって通信環境が変わり固定局間で直接通信できなくなったときに中継局を用いる。たとえば特開平８−２６５３２１号公報にあるように他の固定局を一時的に中継局として用いることで新たな中継局を必要としない方法がある。また特開平９−９３１７８号公報にあるように、各固定局の位置関係をあらかじめ入力して通信距離の短さを基準にしてどの固定局を中継局として用いるのが最適かを選択している。
【０００４】
一方、携帯電話網では固定局である基地局と移動局である携帯電話との直接通信ができなったときに他の携帯電話を中継局に利用することはしない。移動局を中継局とせず新たに固定局を増設する考え方である。
【０００５】
さて、新たにホームオートメーションを電波や赤外線通信を用いて実現する家庭内での無線ネットワークを考える。図１に示すように、給湯機１やエアコン２などの機器に無線局である無線ユニット３が備え付けて使用者４が持つ無線リモコン５で遠隔から集中制御するものである。また電話回線６に電話アダプタ７が接続して給湯機１やエアコン２が故障した時に電話アダプタ７を通じてサービスセンター８に自動通報するものである。電話アダプタ７は電話機器９やＦＡＸ機器、モデム付きパソコンと共有してもよい。
【０００６】
ネットワークを構成する機器には、この他に無線ユニット３を持つ家電機器として冷蔵庫１０やファンヒーター１１、掃除機１２、洗濯・乾燥機１３などがある。使用者４が携帯する無線局として図示していないが呼出スイッチや呼出ページャがある。呼出スイッチはたとえば浴室から携帯者である使用者４が家族を呼んだり電話アダプタ７を通じて介護センターに通報するものであり、呼出ページャーは家族や外部者が携帯者である使用者４を呼び出すものである。なおリモコンホルダー１４は使用者４が無線リモコン５を使わない時に収納するもので壁などに固定する。
【０００７】
このような無線ネットワークでは、無線リモコン５から各機器に直接通信できること、各機器から電話アダプタ７に直接通信できることが望ましいが必ずしもそうはいかないことが考えられる。つまり金属ロッカーのような遮蔽物が機器の周辺に置かれたりや機器自身の設置位置・使用位置の移動などにより通信環境が変化し、最悪の状況では直接通信が不可能となることが予想される。
【０００８】
具体的にいえば無線リモコン５は使用者４が持ち歩き、ときによっては庭先など屋外において使用されるであろうし、ファンヒーター１１や掃除機１２は部屋を移動して使用される。また冷蔵庫１０や洗濯・乾燥機１３にしてもファンヒーター１１に比較して移動しにくいが、使用者４が部屋の模様替えの際に移動させることがある。このように、頻繁に移動する機器やリモコン（移動局）、頻繁ではないが使用者の都合で移動する可能性がある機器（固定局）があり、通信環境が変化する。
【０００９】
また電話アダプタ７は家屋の中央に設置することが望ましいが各家屋それぞれの事情があって、たとえば図１のように片隅に設置され電話アダプタ７と給湯機１とが家屋の反対側にある場合が予想される。この場合、通信距離が長くなることに加えて家屋の外壁を透過する際の電波減衰が大きく、結果として通信条件は厳しい。このように設置場所によって通信環境が異なり、最悪の状況では直接通信が不可能となることが予想される。
【００１０】
こういった状況を考慮して中継局を検討した。上述の無線ＬＡＮと同じように、たとえば無線リモコン５から給湯機１への通信が直接不能な場合、その通信路の途中にあるエアコン２を中継局として利用することが考えられる。また給湯機１から電話アダプタ７への通信が直接不能な場合、その通信路の途中にある無線リモコン５を中継局にすることが考えられる。
【００１１】
【発明が解決しようとする課題】
しかしながら、家庭内に複数ある無線局から中継局をどう選択するか、どの無線局を中継局とすれば通信の効率を上げ信頼性を高くできるかという課題がある。
【００１２】
特開平９−９３１７８号公報のようにあらかじめ位置情報を備えて中継局を選択する方法は固定局には有効であるが無線リモコンや掃除機のように使用者が移動させる機器には適用できない。また部屋替えなど位置移動する度に位置情報を設定し直す必要がある。
【００１３】
また特開平８−２６５３２１号公報のように自ら中継依頼の信号を発信して、それを受信した無線局に中継してもらう方法があるが、複数の無線局が中継依頼信号を受信した場合に多数の無線局が中継局となって送信し混信する恐れがある。あるいは、中継依頼信号を送信したが一つの無線局にも届かず中継してもらえないことが起こりうる。以上からこの方法は無線局の設置台数や位置を初期設計できる場合に有効であり、家庭内での無線ネットワークでそれを行なうことは困難である。つまり無線局となる家電機器の数やその位置は使用者の都合で決められ、また刻々と変化するものである。
【００１４】
あるいは、無線ＬＡＮではないが特開平５−２３５８３８号公報のように日頃から他の無線局の通信を受信して中継局候補を捜しておく方法がある。しかしながらこの方法は無線リモコンのような移動局については必ずしも有効と言えない。つまり無線リモコンがリモコンホルダー等いつも決められた位置に固定されたときは中継局として有望であるが、使用者とともに移動中であるときや一時的に机の上に置かれているときには有効な中継局として期待できない。それは移動中に中継局候補としてあげても中継が必要なときにその場所に無線リモコンがそこにあるかわからないからである。
【００１５】
加えて以上とは別に、中継作業で消費する電力の課題がある。無線局にはＡＣ電源駆動とＤＣ電源駆動とが存在し、無線リモコンのように携帯するものは乾電池か充電池などのＤＣ電源駆動であることが多い。無線リモコンが中継局として有望な位置にあるために頻繁に中継作業を行って電池の大半を消耗し、本来のリモコン通信がほとんどできないことが生じ得る。無線リモコンが中継局として有望な位置にいたとしても電池に余力がなければ、たとえば送信出力が低下して信頼性の高い中継ができない。
【００１６】
またＡＣ電源駆動の無線局についてはＡＣ電源プラグがコンセントから抜かれているときでも通信できるよう充電式のＤＣ電源をバックアップ用に備えたものがある。これについてもバックアップ用のＤＣ電源使用時にはできるかぎり中継作業を減らして電池寿命を延ばしたい。
【００１７】
停電時には、すべての無線局がＤＣ電源となるが、バックアップ用のＤＣ電源は必要最小限の容量しか持っていないので、容量の大きい、最初からＤＣ電源である無線局にできるかぎり中継したい。
【００１８】
近年、使用者に省エネルギー化の意識が浸透して不使用時に家電機器の電源プラグをこまめに抜くことが増えたが、本発明のように中継局として利用するシステムではこのことを考慮する必要がある。
【００１９】
本発明の目的は、家庭内での無線ネットワークのように移動局と固定局とが混在し、またＡＣ電源駆動の無線局とＤＣ電源駆動の無線局と混在する無線ネットワークシステムにおいて、中継作業を効率よく行ない通信の信頼性を高めることである。
【００２０】
【課題を解決するための手段】
本発明は上記課題を解決するために、移動局と固定局とが混在する無線ネットワークシステムにおいてひとつまたは複数の無線局は、それぞれの無線局が移動局か固定局かの情報を記憶する他局状態記憶手段と、通信の中継を依頼する中継依頼電文の送信先を前記他局状態記憶手段の出力によって移動局よりも固定局を優先的に選択する中継局選択手段を備えたものである。
【００２１】
上記発明によれば、中継選択手段は通信状況が安定した固定局を優先するので中継局候補の中から一層確実な中継局を選択することができる。
【００２２】
【発明の実施の形態】
本発明は各請求項記載の形態で実施することができるものである。
【００２３】
すなわち、請求項１記載の発明のように、各無線局が移動局か固定局かの情報を記憶し、受信者に対して指定者への通信の中継を依頼する中継依頼電文の送信先として移動局よりも固定局を優先的に選択するものである。そして、通信状況が安定した固定局を優先するので中継局候補の中から一層確実な中継局を選択することができる。
【００２４】
また、自局が移動局か固定局かの情報を通信電文の中に含めて送信し、受信した無線局の他局状態記憶手段に記憶させるものである。そして、自局が移動局か固定局かを他局に知らせるので、自局が固定局から移動局に変わっても他局は信頼性の高い中継局を選択することができる。
【００２５】
また、接地スイッチなど移動／固定判別センサーを備えて自局が移動中であるか固定であるかを自己判別するものである。そして、移動／固定判別センサーによって自局が移動中であるか固定であるかがわかり現在の状態を他局に知らせるので、他局は信頼性の高い中継局を選択することができる。
【００２６】
また、請求項２記載の発明のように、通信相手との通信状況を確認し送信出力等の通信パラメーターを調節する通信確認作業の実施頻度を固定局と移動局とで切換えるものである。そして、通信確認作業を行なう頻度を移動局と固定局とで切換えておのおの最適な頻度で通信状況の確認と安定化を図るので信頼性の高い中継を行なうことができる。
【００２７】
また、請求項３記載の発明のように、移動開始したときに自局が移動中であるという情報を通信電文の中に含め、また移動終了したときに自局が固定であるという情報を通信電文の中に含めて通信相手に送信するものである。そして、移動開始したときや移動終了したときに自局の現在の状態変化を他局に知らせて、他局は常に信頼性の高い中継局を選択することができる。
【００２８】
また、請求項４記載の発明のように、移動終了したときに通信確認作業を行なうものである。そして、移動終了したときに通信確認作業を行なって通信状況の確認と安定化を図るので移動局であっても固定局同様の信頼性の高い中継を行なうことができる。
【００２９】
また、請求項５記載の発明のように、ＡＣ電源駆動局とＤＣ電源駆動局とが混在する無線ネットワークシステムにおいて、それぞれの無線局がＡＣ電源駆動かＤＣ電源駆動かの情報を記憶し、中継依頼電文の送信先としてＤＣ電源駆動局よりもＡＣ電源駆動局を優先的に選択するものである。そして、電源状態が安定したＡＣ電源駆動局を優先するので中継局候補の中から一層確実な中継局を選択することができるとともに中継作業によるＤＣ電源の消費を減らすことができる。
【００３０】
また、請求項６記載の発明のように、自局の電源状態を検出する電源状態検出手段を備えてＤＣ電源の消耗具合の情報を通信電文の中に含めて送信し、受信した無線局の他局状態記憶手段に記憶させるものである。そして、自局のＤＣ電源の状態を他局に知らせるので、ＤＣ電源駆動局であってもＡＣ電源駆動局同様に信頼性の高い中継局を選択することができるとともに電源に余裕のある無線局を選択することができる。
【００３１】
また、請求項７記載の発明のように、ＡＣ電源の停電を検知する停電検知手段を備えて停電時には停電の情報を通信電文の中に含めて送信し、ＡＣ電源駆動局よりもＤＣ電源駆動局を優先的に選択する中継局選択手段を備えたものである。そして、停電時には電源に余裕があるＤＣ電源駆動局を優先するので中継局候補の中から一層確実な中継局を選択することができるとともに、ＤＣ電源の無線局に停電があったことを知らせることができる。
【００３２】
【実施例】
以下、本発明の実施例について図面を用いて説明する。
【００３３】
（実施例１）
図１に本発明の実施例１である無線ネットワークシステムの概念図を、図２に無線局の機能ブロック図を示す。無線局とは無線通信を行なう部分であり、図１において給湯機１やエアコン２に備えられた無線ユニット３であり、図示していないが無線リモコン５や電話アダプタ７に含まれる無線通信部である。
【００３４】
無線局の機能ブロックを図２で説明する。他の無線局に信号を送信する送信手段２１、他の無線局からの信号を受信する受信手段２２、送信手段２１に送信すべき信号を出力し受信手段２２から受信した信号を受け取って通信全体を制御する通信制御手段２３から構成される。
【００３５】
ここで通信制御手段２３は送信相手と送信内容を決定して送信手段２１に信号を出力することで送信相手に送信させる。そして受信手段２２からその応答信号を受け取り、送信相手と受信相手が一致していること、送信内容と受信内容とが一致していることを確認して１回の通信を正常終了する。また、受信手段２２から受信した信号を受け取り、その応答信号をつくって送信手段２１に送信させる。
【００３６】
自局からの送信に対して相手局からの応答信号がないときは通信制御手段２３は通信エラーと判断して、同じ送信相手、同じ送信内容で再送を行なう。何度か再送を繰り返しても応答信号がない時に中継機能を利用する。すなわち、他の無線局を中継局にして上記の送信相手に送信内容を伝える。
【００３７】
たとえば、図１で無線リモコン５から給湯機１への通信が直接不能な場合、その通信路の途中にあるエアコン２を中継局として利用する。また給湯機１から電話アダプタ７への通信が直接不能な場合、その通信路の途中にある無線リモコン５を中継局にする。
【００３８】
図３に他の無線局を中継局にして上記の送信相手に送信内容を伝える、中継依頼電文のフォーマットを示す。受信者に同期を取らせるための同期信号１０１に続いて、自局を示す自己アドレス１０２、最終的に伝えたい相手局Ａを示す送信先アドレス１０３、この電文を中継する相手局Ｂを示す中継者アドレス１０４、後術で説明する中継フラグ１０５、送信先アドレス１０３の相手局Ａに伝える送信内容である通信データ１０６から構成される。
【００３９】
この電文を受信した無線局は、中継者アドレス１０４部に自局のアドレスがあれば受信した電文の中継フラグ１０５を立てて送信する（中継作業）。また送信先アドレス１０３に自局のアドレスがあれば受信して通信データ１０６の内容を見る。これに対する応答信号の送信先は中継フラグ１０５が立っていれば中継者アドレス１０４に対して返信する。中継フラグが立っていなければ送信先アドレス１０２に対して応答信号を返信する。
【００４０】
このときどの無線局を中継局に選択したらもっとも効率的で信頼性が高いかを判断するのが中継局選択手段２４である。中継局選択手段２４は他の無線局の状態を記憶する他局状態記憶手段２５と、自身の無線局の状態を記憶する自局状態記憶手段２６とを参照して最適な中継局を選択する。他局状態記憶手段２５には各無線局毎に移動局か固定局かの情報と過去の通信状態の履歴が記憶されている。
【００４１】
過去の通信状態の履歴には自局と各無線局との通信の状態や通信回数が含まれる。通信の状態は受信誤り率や受信電界強度、ＳＮ比などを用いて評価する。また通信回数が多いことは通信の信頼性が高いことを示している。これら通信状態とあわせて通信回数を参照すれば自身と各無線局との通信の信頼性が定量化でき中継機としての有望度が予測できる。たとえば、図１で無線リモコン５から給湯機１への通信が直接不能な場合、無線リモコン５からエアコン２への通信と無線リモコン５から冷蔵庫１０への通信となどを比較していずれが信頼性が高いかを判断できる。
【００４２】
あわせて、過去の通信状態の履歴であるその無線局と他の無線局との通信回数を参照する。すなわち、受信手段２２を通して通信制御手段２３は自局宛ての信号だけでなく他局と他局との通信を受信して知っている。通信回数を参照すればその無線局と他の無線局との通信の信頼性が定量化でき中継機としての有望度が予測できる。たとえば、図１で無線リモコン５から給湯機１への通信が直接不能な場合、エアコン２から給湯機１への通信と冷蔵庫１０から給湯機１への通信とを比較していずれが信頼性が高いかを判断できる。
【００４３】
以上のように、自局と各無線局（中継局候補）との通信の信頼性、各無線局（中継局候補）とある無線局（送信相手）との通信の信頼性の二つから総合的に判断して中継局選択手段２４は最適な中継局を選択する。
【００４４】
また、他局状態記憶手段２５には移動局か固定局かの情報が記憶されている。そして中継局選択手段２４は中継局を選択するとき、移動局よりも固定局を優先して選択する。これは移動局は移動する可能性が高いので現在の通信環境が他局状態記憶手段２５に記憶された今までの通信状態の履歴情報から大きく変化していることが考えられるためである。図１では無線リモコン５から給湯機１への通信が直接不能な場合、掃除機１２やファンヒーター１１よりもエアコン２を優先して選択する。あるいは移動局については最初から中継局の候補から外してもよい。
【００４５】
なお、他局状態記憶手段２５には設定手段２７によって移動局か固定局かの情報が初期設定される。図１において固定局は給湯機１、エアコン２、冷蔵庫１０、洗濯・乾燥機１３のように通常使用者が移動させない機器である。一方、移動局は無線リモコン５、ファンヒーター１１、掃除機１２なのように使用するときに移動させることが多い機器である。このような移動局か固定局かの情報は使用者が設定するほか、機器の性格によっては製造者があらかじめ設定して工場出荷してもよい。
【００４６】
そして各無線局から送信してもらって得る。つまり各無線局では、自局が移動局か固定局かの情報を自局状態記憶手段２６に記憶して、通信制御手段２３により送信信号に含めて送信手段２１から他の局に送信することでお互いに移動局か固定局かの情報を交換する。たとえば自局が移動局か固定局かの情報を自己アドレスの一部に含めて毎回送信する。
【００４７】
以上のように各無線局が移動局か固定局かの情報を記憶し、中継局として移動局よりも固定局を優先的に選択することで、通信状況が安定した固定局を優先するので中継局候補の中から一層確実な中継局を選択することができる。
【００４８】
一方、固定局についても使用者の都合で移動することが有り得る。移動局ほど頻繁ではないが、冷蔵庫やＴＶなどは部屋の模様替えの際に従来とは別の部屋・場所に移動させることがある。このように固定局についても移動することがあるし、また固定局よりも移動局が多いような無線ネットワークシステムにおいては固定局だけに限ると中継局の候補が少なくなることから移動局でも通信の信頼性を維持して中継局に利用できることが必要である。
【００４９】
通信確認手段２８は最新の通信状況を得るために通信制御手段２３に通信相手と通信確認を行わせる。たとえば、意図的に長い信号や誤り易い信号をテスト信号として送信し、その応答信号の受信誤り率を調べたり受信電界強度を調べ通信の信頼性を確する。この通信確認作業は時計手段２９によって定期的に行ない、固定局と移動局とで頻度を変える。たとえば固定局では１日１回、移動局は頻繁に移動するので１時間１回とする。
【００５０】
通信状況が悪ければ、通信確認手段２８は通信パラメータ調整手段３０によって通信の信頼性を向上させる。たとえば、通信距離が長くなったときには送信出力を大きくし近すぎる時には小さくする、受信時の増幅度を大きくしたり小さくする、アンテナ高を変えてアンテナ感度を調整する。またソフトウエア的には通信速度を落としたり、誤り検出・訂正能力の高いアルゴリズムに切換える。これらは他局状態記憶手段２５に記憶して、その無線局との通信のときにはこの通信パラメータを用いる。
【００５１】
以上のように、通信確認手段２８と通信パラメータ調整手段３０によって移動する無線局についても信頼性を確保することができる。そして、通信相手との通信状況を確認し送信出力等の通信パラメーターを調節する通信確認作業の頻度を固定局と移動局とで切換えることで、おのおの最適な頻度で通信状況の確認と安定化を図り信頼性の高い中継を行なうことができる。
【００５２】
（実施例２)
図４は図２を発展させた無線局の機能ブロック図である。図２と同じ機能を有する手段は同じ番号を付加して説明を省略する。
【００５３】
移動／固定判別センサー３１は自局が移動中であるか固定であるかを判別して自局状態記憶手段２６や通信確認手段２８に出力する。たとえば移動／固定判別センサー３１は水平面に接地しているときにスイッチオンとなる接地スイッチによって置かれている状態か持ち運ばれている状態かを判別する。また無線リモコンではリモコンホルダーに収納時にスイッチオンとなる構造によって、所定の場所に存在するかそれ以外の場所に存在するかを判別する。また掃除機では車輪の回転を検出して移動を判別し、ファンヒーターでは地震感知用の振動子を備えているからこれが激しく振動したときは移動中と判別する。
【００５４】
移動／固定判別センサー３１によって自局状態記憶手段２６には現在の自局の状態が記憶される。通信制御手段２３はこれを自己アドレスや通信データに含めて送信手段２１から送信することでこの通信データを受信した各無線局に移動中か固定かを知らせる（一斉同報で送信する）。たとえば無線リモコンはリモコンホルダーに収納時に固定としそれ以外を移動中であると送信すれば、固定時にはいつも同じ位置にあるので過去の通信の履歴が信用でき中継機が有望になる。
【００５５】
以上のように接地スイッチなど移動／固定判別センサーを備えて自局が移動中であるか固定であるかがわかり、現在の状態を他局に知らせるので移動局についても他局は信頼性の高い中継局を選択することができる。
【００５６】
ここで移動／固定判別センサー３１は自局が移動中であるか固定であるかを判別して通信制御手段２３に出力する。通信制御手段２３は自局の状態が固定中から移動に変化した時に移動中であるという情報を送信し、移動中から固定に変化したときに固定であるという情報を送信する。以上によって、移動開始したときや移動終了したときに他局はリアルタイムに自局の状態を知って信頼性の高い中継局を選択することができる。たとえば掃除機のように使用中に移動と固定が頻繁に変化する機器においてはそのときを避けて中継局として利用することができる。
【００５７】
また移動／固定判別センサー３１は自局が移動中であるか固定であるかを判別して通信確認手段２８に出力する。通信確認手段２６は自局の状態が移動中から固定に変化した時に通信確認作業を開始する。以上によって、移動直後から通信状況の確認と安定化を図るので移動局であっても固定局同様の信頼性の高い中継を行なうことができる。ファンヒーターのように比較的長いあいだ位置が固定する機器はそのあいだ中継局として有効に利用することができる。
【００５８】
このとき通信確認を行なう時の相手無線局は最も通信頻度が高い相手を選べばよい。無線リモコンであれば遠隔制御の対象である給湯機であり、ファンヒーターであれば故障通報時の対象である電話アダプタである。
【００５９】
（実施例３)
実施例３を図５で説明する。図３と同じ機能を有する手段は同じ番号を付加して説明を省略する。
【００６０】
他局状態記憶手段２５は実施例１に加えて各無線局の駆動電源がＡＣ電源であるかＤＣ電源であるかを記憶する。自局状態記憶手段２６は実施例１に加えて自局の駆動電源がＡＣ電源であるかＤＣ電源であるかを記憶する。中継局選択手段２４は他局状態記憶手段２５と自局電源状態記憶手段２６とを参照して最適な中継局を選択する。このときＡＣ電源の無線通信局を優先し、ＤＣ電源の無線通信局を利用しないことで中継によるＤＣ電源の消耗を減らすことができる。
【００６１】
他局状態記憶手段２５にはＡＣ電源かＤＣ電源かの情報が記憶されるが、自局については製造者が工場出荷時に設定し、他局については設定手段２７で設定する。あるいは各無線局から送信してもらって得る。つまり各無線局では、自局がＡＣ電源かＤＣ電源かの情報を自局状態記憶手段２６に記憶して、通信制御手段２３により送信信号に含めて送信手段２１から他の局に送信することでお互いにＡＣ電源かＤＣ電源かの情報を交換する。
【００６２】
ここで電源状態検出手段４１は自局がＡＣ電源駆動局かＤＣ電源駆動局か、ＤＣ電源であればその消耗具合を検出して自局状態記憶手段２６に出力する。通信制御手段２３は自局のＤＣ電源の状態を他局に知らせ、他の無線局に電源状態を考慮した中継局の選択を行なわせる。ＤＣ電源よりもＡＣ電源の無線通信局を優先し、中継局の候補中にＤＣ電源の無線通信局しかないときはＤＣ電源の消耗が少ない無線通信局をを優先して選択する。電源状態の送信は定期的に行なってもよいし、ＤＣ電源の残量が無くなってきたら送信してもよい。以上によってＤＣ電源駆動局であってもＡＣ電源駆動局同様に信頼性の高い中継局を選択することができる。
【００６３】
またＡＣ電源駆動局であれば電源状態検出手段４１は停電の有無を検出する。停電を検出したときはＡＣ電源からバックアップ用のＤＣ電源に切換える。そして通信制御手段２３は停電であることを他局に知らせ、他の無線局に停電を考慮した中継局の選択を行なわせる。まずバックアップ用のＤＣ電源よりも最初からＤＣ電源の無線通信局を優先して選択する。また停電時に中継がうまく行かないときは動作停止中の無線局があることを予想して停電が回復するまで再送を控える。これによって停電時に再送が繰り返され混信することが防げる。電源状態検出手段４１が停電復帰を検出したときはバックアップ用のＤＣ電源からＡＣ電源に切換える。そして通信制御手段２３は停電復帰を他局に知らせ、他の無線局を非停電時の中継局に戻す。停電時に中継がうまく行かなかった無線局は再送を開始する。以上によって停電時には電源に余裕があるＤＣ電源駆動局を優先するので中継局候補の中から一層確実な中継局を選択することができるとともに、ＤＣ電源の無線局に停電があったことを知らせて再送による混信を防ぐことができる。
【００６４】
なお、停電と使用者が家電機器の電源プラグを抜いたことを区別するために電源プラグがコンセントに差し込まれているかを検出する機構を設ける（図示せず）。コンセントに差し込まれているのに電圧がないときは停電と判断し、差し込まれていないときは電源プラグが抜かれたと判断する。停電時には他のＡＣ電源駆動の無線局はバックアップ用ＤＣ電源に切り換わっているので、中継時にＡＣ電源よりもＤＣ電源を優先して選局する。電源プラグが抜かれたときは他のＡＣ電源駆動の無線局には影響ないので中継時にＤＣ電源よりもＡＣ電源を優先して選局する。
【００６５】
【発明の効果】
以上の説明から明らかなように本発明の無線ネットワークシステムによれば、次の効果が得られる。家庭内での無線ネットワークのように移動局と固定局とが混在し、またＡＣ電源駆動の無線局とＤＣ電源駆動の無線局と混在する無線ネットワークシステムにおいて、中継作業を効率よく行ない通信の信頼性を高めることができる。そして、各請求項に対応する特有の効果は次の通りである。
【００６６】
（１）各無線局が移動局か固定局かの情報を記憶し、受信者に対して指定者への通信の中継を依頼する中継依頼電文の送信先として移動局よりも固定局を優先的に選択することで、通信状況が安定した固定局を優先するので中継局候補の中から一層確実な中継局を選択することができる。
【００６７】
（２）自局が移動局か固定局かの情報を通信電文の中に含めて送信し、受信した無線局の他局状態記憶手段に記憶させることで、自局が移動局か固定局かを他局に知らせるので自局が固定局から移動局に変わっても他局は信頼性の高い中継局を選択することができる。
【００６８】
（３）接地スイッチなど移動／固定判別センサーを備えて自局が移動中であるか固定であるかがわかり、現在の状態を他局に知らせるので他局は信頼性の高い中継局を選択することができる。
【００６９】
（４）通信相手との通信状況を確認し送信出力等の通信パラメーターを調節する通信確認作業の実施頻度を固定局と移動局とで切換えることで、おのおの最適な頻度で通信状況の確認と安定化を図るので信頼性の高い中継を行なうことができる。
【００７０】
（５）移動開始したときに自局が移動中であるという情報を通信電文の中に含め、また移動終了したときに自局か固定であるという情報を通信電文の中に含めて通信相手に送信することで、移動開始したときや移動終了したときに自局の現在の状態変化を他局に知らせて、他局は信頼性の高い中継局を選択することができる。
【００７１】
（６）移動終了したときに通信確認作業を行なうことで、移動直後から通信状況の確認と安定化を図るので移動局であっても固定局同様の信頼性の高い中継を行なうことができる。
【００７２】
（７）ＡＣ電源駆動局とＤＣ電源駆動局とが混在する無線ネットワークシステムにおいて、各無線局がＡＣ電源駆動かＤＣ電源駆動かの情報を記憶し、中継依頼電文の送信先としてＤＣ電源駆動局よりもＡＣ電源駆動局を優先的に選択することで、電源状態が安定したＡＣ電源駆動局を優先するので中継局候補の中から一層確実な中継局を選択することができるとともに中継によるＤＣ電源の消費を減らすことができる。
【００７３】
（８）自局がＡＣ電源駆動局かＤＣ電源駆動局かの情報やＤＣの消耗具合の情報を通信電文の中に含めて送信し、受信した無線局の他局状態記憶手段に記憶させることで、自局のＤＣの状態を他局に知らせＤＣ駆動局であってもＡＣ電源駆動局同様に信頼性の高い中継局を選択することができる。
【００７４】
（９）ＡＣ電源の停電を検知する停電検知手段を備えて停電時には停電の情報を通信電文の中に含めて送信し、ＡＣ電源駆動局よりもＤＣ電源駆動局を優先的に選択することで、停電時には電源に余裕があるＤＣ電源駆動局を優先するので中継局候補の中から一層確実な中継局を選択することができるとともに、ＤＣ電源の無線局に停電があったことを知らせることができる。
【図面の簡単な説明】
【図１】本発明の実施例１における無線ネットワークシステムの概念を示す図
【図２】同システムの無線局の機能ブロック図
【図３】同システムにおける送信フォーマット図
【図４】本発明の実施例２における無線ネットワークシステムの無線局の機能ブロック図
【図５】本発明の実施例３における無線ネットワークシステムの無線局の機能ブロック図
【符号の説明】
１、２、５、９、１０、１１、１２  家庭内の電気機器
３  無線ユニット
４  使用者
６  電話回線
７  電話アダプタ
８  機器修理サービスセンター
２１  送信手段
２２  受信手段
２３  通信制御手段
２４  中継局選択手段
２５  他局状態記憶手段
２６  自局状態記憶手段
２７  設定手段
２８  通信確認手段
２９  時計手段
３０  通信パラメータ調整手段
３１  移動／固定判別センサー
４１  電源状態検出手段
【図１】
0003900668.tif 000002
【図２】
0003900668.tif 000003
【図３】
0003900668.tif 000004
【図４】
0003900668.tif 000005
【図５】
0003900668.tif 000006